(57)【要約】【課題】体の中心軸である脊柱全体の生理的湾曲をどうすれば維持できるのか。関節の傾きにより機能を果たしている脊柱をどうすれば保てるのか。深層で支えている支持筋、靱帯、支持性を高めるためにはどういう運動をして刺激を与えればよいのか。脊髄、脊髄神経の圧迫によって生じる種々の痛みをどのようにすれば、緩和、解消することができるかをテーマにして考案した脊柱の運動器具。【手段】本体に中心軸を設けその下部にスタンス目安ＡＢを設置し、上肢の支持性を高めるために、上部に左右の肘掛け台と左右のにぎり棒を設置し、本体の横には左右のタッチパット、左右のフック、正面には正面フックを設け、身長の高低により肘台ＡＢＣから１対を選び取り付けます。また臀部に重心ベルトを装着し運動することにより、支持性、可動性を高める脊柱の運動器具。【選択図】図１
2016087380.tif 000002
【特許請求の範囲】
【請求項１】
本発明は図１にある本体に本体中心軸（１）を設け、本体土台（３）の位置にスタンス目安Ａ（１６）、スタンス目安Ｂ（１７）を設置し、本体の肘掛けアーム（２）の中間部に左右の肘掛け台（５）（６）を設置し、その前方に左右のにぎり棒（９）（１０）を設置します。また本体の左右にある（２）と（３）を支えるフレーム（４）の中間部に、左右のタッチパット（１４）（１５）を本体の内側に１８０度回転できるように設けます。そしてその中間部にも左右のフック（１２）（１３）を設置し、本体中心軸（１）の中間にも正面フック（１１）を設置した脊柱の運動器具。
【請求項２】
身長に応じて肘台ＡＢＣ（３０）から肘が水平に位置するものを１対選び、本体の左右の肘掛け台（５）（６）の差し棒の穴（７）（８）に、肘台Ａの差し棒（２９）を差し込み上肢の支持性を高め、次に重心ベルト本体（１９）を臀部の位置に装着し、正面ゴム金具（２０）、左右のゴム金具（２１）（２２）を図１にある本体の正面フック（１１）、左右のフック（１２）（１３）のそれぞれの位置に取り付けることによって、さらに負荷を与えて運動を効果的にすることを可能にした請求項１記載、請求項２記載の脊柱の運動器具。
【請求項３】
前記、本体中心軸（１）を設けることにより、立位時の目安となり身体の垂直軸、矢状軸、前額軸により重心部をできるだけ正確に位置し、伸展、側屈、回旋の運動ができるように考案した請求項１の脊柱の運動器具。
【請求項４】
前記スタンス目安Ａ（１６）、スタンス目安Ｂ（１７）を設けたことにより、脊柱の中心軸を安定させ、さらに下肢にも２か所の中心軸を設けることにより、より効果的な刺激を与えることによって、脊柱の支持性、可動性を維持、促進できるよう考案した請求項１の脊柱の運動器具。
【請求項５】
前記左右のタッチパット（１４）（１５）を設けたことにより、脊柱の支持性、可動性を保っているのか、いないのか、フィードバックすることができます。側湾しているのか、いないのか、可動性があるのか、ないのか判断する目安として考案した請求項１の脊柱の運動器具。
【請求項６】
前記重心ベルト本体（１９）を使用することにより、個々人の体形にあった理想的な軌道で効果的な運動ができること、脊柱全体のエネルギー代謝を活発にすることができる請求項２の脊柱の運動器具。また体重の増減により、重心ベルト本体（１９）の３ヵ所のゴム金具の負荷を約４．５ｋｇ〜６．０ｋｇから約６．０ｋｇ〜７．５ｋｇと変更することも可能です。
【請求項７】
前記本体に設置の正面フック（１１）、右フック（１２）、左フック（１３）を設けることにより身長に適応した重心部に取り付けることによって、正面ゴム金具（２０）、右ゴム金具（２１）、左ゴム金具（２２）の張力と収縮力を生かし効果的な運動を行なうことを目的に考案した請求項１の脊柱の運動器具。また図１本体には正面フック、右フック、左フック（１１）（１２）（１３）はそれぞれの位置に固定されていますが、１つのフックを設け上中下と上下に移動式にすることも可能です。
【請求項８】
前記本体に（２）と（３）を支えるフレーム４を設けたことにより、重心ベルト（１９）に取り付けたゴム金具の収縮力と張力を最大限に生かすと共に、フレーム４の耐久性と撓りを失うことなくスムーズな運動ができるよう加工、考案した請求項１の脊柱の運動器具。
【請求項９】
前記本体に設置の左右の肘掛け台（５）（６）、左右のにぎり棒（９）（１０）を設けることにより、さらに上肢の支持性を高め脊柱に対する運動の効果を高め、上肢を固定し重心部を基点にすると、体幹は逆の刺激を与えることになり、さらに脊柱の支持性、可動性をさらに高めてくれるものとして考案した請求項１の脊柱の運動器具。
【請求項１０】
前記肘台ＡＢＣ（３０）を設けることにより、身長の高低による肘の高さを調整すると共に、支持性を高めることによって生じる効果は請求項９で延べた通りです。つまり上肢の支持性があるから脊柱に刺激を与えることができるという発想の元に考案した請求項２の脊柱の運動器具。
【発明の詳細な説明】
【技術分野】
【０００１】  本発明は、姿勢、動作の中心軸の役割を果たしている脊柱の運動器具についてです。脊柱は脊髄を保護し脊柱全体の生理的湾曲を保つことによってそれぞれの機能を果たしています。また脊柱を直接支えている脊柱支持筋及び靱帯をどのようにすれば支持性を高めることができるのか。また脊柱の変形及び損傷によって生じる脊髄、脊髄神経の圧迫による種々の痛みをどのようにすれば緩和、解消できるのか。また支持性と可動性を高めるためには脊柱の生理的湾曲をどうすれば維持できるのかと同時に、体の動きを快活にするものとして考案した脊柱の運動器具に関するものであります。
【背景技術】
【０００２】  背骨治療の運動器具として、上半身運動パネルと下半身運動パネルが互いに分離した器具に仰臥位になり、背骨の運動が横方向Ｓ字型に行なえるよう構成された器具があります。下半身パネルが左右方向に回転すると、運動者の下半身を左右に動かすので、上半身は下半身の移動方向とは逆方向に動き、脱出した椎間板を元の位置に回復させ、背骨の曲がった部分をまっすぐに矯正できるというものである。（特許文献１）
また、体幹部に共振する周波数の力を外部から生体に供給し、体幹の共振運動を生じさせ、体幹部を効率よく大きく運動させることによって、体の深部の筋肉のこりや痛みを効果的に治療するというもので、左右側方向、前後方向への運動、身長方向への伸縮運動、捻転運動ができ、体幹深部の関節や筋機能改善には当該部位の運動を行なうことが効果的であるというものである。（特許文献２）
もう１つの器具は、下半身を静止して置いた状態で、下半身に対して上半身を左右に揺らすことで体幹機能を調整するというもので、上半身を載せた台を左右に揺動する運動を繰り返すことで、自律神経及び内分泌系を含む臓器機能の促通による肥満やメタボリックシンドロームの予防を図ることができる。また載せる上半身の位置を変えることで、体幹の下位部から上位部までの機能を調整することが可能となり、筋の緊張緩和と筋力強化を図ることができるというものである。（特許文献３）
【先行技術文献】
【０００３】
【特許文献１】特表２００９−５２１２９９号公報
【特許文献２】特開２００９−２９７５１０号公報
【特許文献３】特開２００９−２６８８６６号公報
【発明の概要】
【発明が解決しようとする課題】
【０００４】器具を考案するにあたり、８つの課題がありました。
（イ）体の中心軸である脊柱全体の生理的湾曲をどのようにすれば維持することができるのか。
（ロ）脊柱は椎骨が連なることにより関節ができます。その関節の傾きにより頚椎、胸椎、腰椎はそれぞれの機能を果たすことが可能となります。その状態をどのようにすれば保つことができるのか。
（ハ）体幹、上肢、下肢の動きを司る脊髄、脊髄神経及び末梢神経その元となる脊髄を納めている脊柱管及び椎骨が変形することなく、どのようにすればその形態を維持できるのか。
（二）脊柱を直接深層で支えている脊柱支持筋及び靱帯をどのようにすれば支持性を高めることができるのか。
（ホ）また骨に対しても栄養素が必要となります。なかでもカルシウムは運動することによって、血液中から椎骨にカルシウムを吸着させてくれます。また骨に対する力学的な負荷が大きいほど、骨量が増加することも判明されています。そのためにはどういう運動を行なえばよいのか。
（ヘ）脊柱は上肢、下肢に比べれば普通は動きの少ない部位であり、特別な器具を用いて運動しない限り刺激性に欠ける部位でもあります。特に脊柱支持筋を的確に刺激する必要があります。何故なら支持性を高めることによって土台である脊柱が強固なものであれば、骨格筋をしっかりと動かせる、つまり体幹、上肢、下肢の動きが快活になるということになるのです。そのためにはどうすれば良いのか。
（ト）また身体はあらゆる刺激に対して反応します。たとえば筋肉は負荷に対して反応し発達もしくは維持しようと順応します。脊髄神経、末梢神経も同じです。体の動きをコントロールし、感覚的なことを脊髄を通して脳に送っています。その機能を維持するためには、今度は逆に筋肉を介して神経に刺激を与える必要があります。どうしてかと申しますと神経細胞も正しく機能するためには、栄養素と酸素が必要となります。そのことによってエネルギー代謝が行なわれて機能している訳ですから、また神経にどういう動きを与えると圧迫によって生じる種々の痛みや鈍痛をどのようにすれば緩和、解消できるのか。
（チ）そして脊柱のショックアブソーバーでもある椎間板です。人体の中で無血管状態の組織です。その大部分はコラーゲンの線維から成り、互いに交差しており抵抗性を生み出しております。その主成分はプロテオグリガンとＩＩ型コラーゲンでできています。つまり、栄養素と酸素を必要とし椎体の終板を介して椎間板に供給され、そのことによってエネルギー代謝が行なわれ機能を維持しているわけですから、そのためにはどういう運動をして刺激を与えれば良いのか。また椎間板の脱出によって起こる腰の痛みをどうすれば緩和、解消できるのかをテーマにして考案した脊柱の運動器具であります。
【課題を解決するための手段】
【０００５】１  本体の中心軸  ２  肘掛けアーム  ３  本体土台  ４  （２）と（３）を支えるフレーム  ５  右肘掛け台  ６  左肘掛け台  ７  右差し棒の穴  ８  左差し棒の穴  ９  右にぎり棒  １０  左にぎり棒  １１  正面フック  １２  右フック  １３  左フック  １４  右タッチパット  １５  左タッチパット  １６  スタンス目安Ａ  １７  スタンス目安Ｂ  １８  キャスター
本体は主にステンレスで構成されています。上の肘掛け台、下の土台は厚さ０．２ｃｍで太さ５ｃｍ空洞のパイプになっています。また、正面の中心軸は横長の長方形で端を丸形に加工しています。また、上下のパイプを支えるために左右にあるパイプは厚さが０．２ｃｍで太さが２ｃｍの空洞のパイプです。その中間部にある３つの丸形のフックはカギ状の物を引っかける所です。またその左右にあるタッチパットは内側に１８０°回転でき、合板に皮革を加工したものです。また上部のパイプが一部分加工されているのは、パイプを３分１を切り取り、平に加工し２か所のさし棒の穴を設けたものです。その前部にあるにぎり棒は、身長の高低により、にぎるか所の違いにより１５ｃｍと高く設置したものです。【０００６】１９  重心ベルト本体  ２０  正面ゴム金具  ２１  右ゴム金具  ２２  左ゴム金具  ２３  左後ベルト  ２４  右後ベルト  ２５  前面マジックテープ  ２６  後面マジックテープ
本体重心ベルトは合成樹脂で構成されています。臀部に当て使用しますのでほど良い固さと収縮性があります。左右の後部は幅が狭くなり内側にはマジックテープが取り付けてあり、重心ベルトの前部にもマジックテープが取り付けてあります。正面、左右にあるゴム金具は太さが０．８ｃｍで中が空洞状態のゴムです。その先端にはカギ状の金具が取り付けてあります。本体の長さは１８０ｃｍでフリーサイズで使用できます。【０００７】２７  肘台本体  ２８  肘掛けスポンジ  ２９  差し棒  ３０  肘台Ａ、Ｂ、Ｃ
肘台本体は合板を加工したもので、上部にかまぼこ型のスポンジを張り付け、また上から皮革を加工したものです。下部にある２本の差し棒は肘台本体を固定し安定させるものです。また肘台ＡＢＣは身長の高低による肘の高さを考慮し肘台ＡＢＣ３対としました。以上の構成による脊柱の運動器具であります。
【発明の効果】
【０００８】（イ）本体の中心軸に立位し、肘掛け台に両肘を掛け左右のにぎり棒をにぎり、スタンス目安Ａ、Ｂのいずれかの位置に両下肢を固定し、脊柱の左右の伸展、側屈、回旋の運動をすることによって脊柱の生理的湾曲を維持することができます。回数はそれぞれ２０回を２回繰り返すことで可能であります。
（ロ）次に（イ）の運動をすることにより両肘がしっかりと固定されているため、中心軸が移動することなく的確に刺激することによって、頚椎、胸椎、腰椎の椎骨の１つ１つの生理的な傾きを維持すると共に、脊柱を深層で支えている支持筋、つまり隣接の椎骨をまたぐ棘間筋、横突間筋、回旋筋、そして２−４個の椎骨をまたぐ多裂筋などの筋力の強化によって、脊柱の支持性を高めることができます。何故ならこれらの支持筋は脊柱の伸展、側屈、回旋をするための筋肉だからです。
（ハ）次に（ロ）の運動をすることにより、椎骨の傾きをさらに強固なものにしている前縦靱帯、後縦靱帯、黄色靱帯、棘間靱帯、棘上靱帯を脊柱支持筋を介して、伸展、側屈、回旋の運動をすることにより、上記の靱帯のエネルギー代謝の機能を高めてくれます。つまり靱帯はコラーゲンの線維でできているので栄養素と酸素を必要とし、スムーズなエネルギー代謝をすることによって、脊柱の支持性を強固にし可動性を維持してくれます。
（ニ）次に（ハ）の運動をすることにより、今度は体幹、上肢、下肢の動きを司る脊髄を納めている脊柱管及び椎骨の変形を防いでくれます。つまり脊柱管が狭くなったり椎骨が変形してしまっては脊髄及び脊髄神経を圧迫し痛みを生じてしまいます。そのためには、伸展、側屈、回旋の運動をすることによってスムーズなエネルギー代謝が行なわれ、血液中から椎骨にカルシウムを吸着することによて、脊柱管及び椎骨の変形を防いでくれます。
（ホ）また（ニ）の運動をすることによって脊柱支持筋を介して伸展、側屈、回旋の運動をする必要があります。骨の代謝において、骨形成よりも骨吸収が優先的に行なわれいますので、体を動かさないことにより骨萎縮が生じてしまいます。つまり上記の運動をすることによって血流が増加し、血中のＰＨが中性化になり骨吸収を抑制してくれます。逆に酸素の増加により骨へのカルシウム沈着が促進して、骨形成がスムーズに行なわれるということが判明されています。
（ヘ）次に（ホ）の運動をすることにより、骨は力学的な負荷が大きいほど骨量が増加することが判明されています。そこで体の重心である仙骨の部分つまり両大腿部の大転子部に重心ベルトを装着し、本体の中心軸と左右にあるフックに取り付けると、約４．５ｋｇ−６．０ｋｇの負荷が加わることになります。そして伸展、側屈、回旋の運動をすることによって脊柱管及び椎骨の骨形成の代謝を促進し、その機能を維持することができます。
（ト）また（ヘ）の運動をすることにより、普通、動きの少ない部分でもある脊柱は、特別な器具を用いて運動しない限り刺激性に欠ける部分でもあります。特に脊柱支持筋を刺激する理由は土台をしっかりすることに目的があります。そこで重心ベルトを用いて負荷を与え伸展、側屈、回旋の運動をすることによって土台がしっかりすれば骨格筋を動かせる、つまり体幹、上肢、下肢の動きが快活になるということです。
（チ）さらに（ト）の運動をすることにより、筋肉は負荷に対して反応し、維持もしくは発達しようと反応します。脊髄、脊髄神経も同じです。体の動きをコントロールし感覚的なことを脊髄を通して脳に伝えています。その機能を維持するためには今度は逆に筋肉を介して神経に刺激を与える必要があります。どうしてかと申しますと、神経線維は脂肪性の物質でミエリンと呼ばれる組織で包まれていますので、栄養素と酸素が必要となります。よって重心ベルトを用いて伸展、側屈、回旋の運動をすることによってエネルギー代謝が活発になり脊髄、脊髄神経の機能を維持することができます。また神経の圧迫によって生じる種々の痛みを緩和、解消することができます。
（リ）さらに（チ）の運動をすることにより、隣接する椎骨を連結している椎間板、椎間関節、靱帯は脊柱運動の基本になっています。これらが互いに連携することで椎間の可動性を獲得しています。またこれらの構成要素の１つが機能不全を起こすと、残り全ての脊柱の構成要素に影響を及ぼして、不橈性が生じ脊柱全体の機能不全を起こしてしまうというものです。そのためには重心ベルトを用いて伸展、側屈、回旋の運動をすることによって、椎間板に対する上下の力のモーメント、前から横からの並進、回施による力のモーメントの負荷に対する抵抗力を高め、柔軟性と可動性を維持することができます。
（ヌ）さらに（リ）の運動をすることにより、最大の無血管組織として知られる椎間板は線維の軟骨から構成され頚椎、胸椎、腰椎も大きさ形は異なるが構造は同じです。外側の強固な線維輪と内側の髄核そして隣接する椎体を強固に連結している軟骨終板、また線維輪はコラーゲンの線維で構成され互いに交差しており前方では厚く、後方では薄い構造になっています。このため生理的湾曲が形成され抵抗性を生み出していますので、そのためには重心ベルトを用いて伸展、側屈、回旋の運動をすることによって、栄養素と酸素を供給しエネルギー代謝を活発にして椎間板の生理的な機能を維持すると共に、加齢に伴う退行変性を抑制してくれるというものです。以上、本発明による脊柱の運動器具の効果です。
【図面の簡単な説明】
【０００９】
【図１】本発明の本体の斜面図
【図２】本発明の重心ベルトの背面図
【図３】本発明の肘台の斜面図
【図４】本発明の右タッチパットの使用斜面図
【図５】重心ベルトのゴム金具の収縮力と張力の背面図
【図６】右肘掛け台使用時の前後の前屈と背屈の状態側面図ＡＢ
【図７】フレーム４を加工した場合としない場合の撓りの状態正面図
【発明を実施するための形態】
【００１０】使用法その（１）、タッチパットを利用した場合の本発明の実施の形態を説明する。
（イ）まず身長に合った肘台ＡＢＣ（３０）から１対を選び、本体の左右にある差し棒の穴（７）（８）に、肘台（３０）の差し棒（２９）を差し込みます。
（ロ）次に本体の左右にあるタッチパット（１４）（１５）を本体の内側に９０°回転し固定します。
（ハ）次に本体の中心軸（１）に体を向け立位の状態で、左右の肘掛台（５）（６）に両肘を掛け、前部にあるにぎり棒（９）（１０）をつかみ上肢の支持性を確保します。
（ニ）そして本体の土台（３）にあるスタンスの目安Ｂ（１７）に下肢の両足底を平行にセットすることによって、下肢の支持性を確保します。
（ホ）次に体の重心部に位置する仙骨部の右臀部を右タッチパット（１４）に寄せると脊柱の右側が伸展という動作になり、左側が側屈という動作になり脊柱の運動ができます。またこの運動により右のタッチパット（１４）に触れているのか、いないのか判断することができます。
（ヘ）同じように左タッチパット（１５）に今度は左臀部を寄せると、脊柱の左側が伸展という動作になり、右側が側屈という動作になり脊柱の運動ができます。またこの動作により左に触れているのか、触れていないのかの判断ができます。そのことによって脊柱の生理的湾曲を保っているのか、またどちらかに傾きがあるのかフィードバックすることができます。
（ト）今度はスタンス目安Ａ（１６）に下肢の両足底を平行にして、上記（ホ）と（ヘ）の運動を行ないます。スタンスを広くとると股関節の可動域が大きくなることによって、左右のタッチパット（１４）（１５）に触れることができるはずなのですが、それでも触れない場合もあります。つまり脊柱の支持性及び可動性が失われ、脊柱管、椎体、椎間板、軟骨終板、靱帯ならびに深層の支持筋に支障のあることが理解できます。
（チ）次にどうして本発明の肘台ＡＢＣ（３０）、左右のにぎり棒（９）（１０）、スタンスの目安Ａ（１６）、目安Ｂ（１７）を使用することによって、脊柱にどういう影響を与えるのかと申しますと。
（リ）まず本体の中心軸（１）に向かって直立の状態で立位し、左右の肘掛け台（５）（６）に肘を置き、左右のにぎり棒（９）（１０）をにぎり、スタンスの目安ＡＢ（１６）（１７）のいずれかの位置に下肢の両足底を平行にすることによって、安定した直立の姿勢をとることができます。そうすると、脊柱には上から下への負荷、上から下からの椎間板を通しての並進の負荷、左右、前後への移動することのない負荷と並進の負荷、また直立することによって体には１Ｇという重力がかかることになります。
（ヌ）次に（リ）の状態を保ちながら左右の伸展、側屈を繰り返すことによって脊柱の基本単位である上下の椎骨、椎間板、前後の靱帯は刺激に対して反応しエネルギー代謝が活発になることにより強固な状態を保ち、脊柱の支持性、可動性を高めることができます。また基本単位である構成要素の１つでも機能不全を起こしてしまうと、他の構成要素が機能不全を起こしてしまうことになります。
（ル）また（リ）の状態を保ちながら今度は前後への伸展、側屈を繰り返すことにより椎間関節の後方要素として黄色靱帯、棘上、棘間靱帯も刺激に対して反応しエネルギー代謝が活発になることによって、より強固な状態を保ち脊柱の支持性、可動性を高めることができるというものです。
（オ）さらに（リ）の状態を保ちながら、今度は前後への伸展、側屈を繰り返すことにより左回り、右回りの回旋の運動が可能となりさらに深部の組織である。線維輪、髄核、軟骨終板、そして椎体の毛細血管に至るまで刺激することができます。また組織である以上栄養素と酸素が必要なのですが、椎間板は人体としては最大の無血管組織ですから、どのように栄養素と酸素を供給するのかということになります。
（ワ）そして（リ）の状態を保ちながら、今度は回旋の運動をすることによって栄養素と酸素をすみやかに、腰椎分節動脈の枝より軟骨終板を介して供給され、今度は軟骨の下静脈の叢より老廃物を排出してエネルギー代謝を促進し、生理的な機能を維持することができます。また脊柱は日常的に動きの少ない部分でもあり、加齢に伴う退行変性をきたしやすい部分でもあり、その機能を維持することがいかに大切であるかということになります。
（カ）また、本発明である。本体中心軸（１）、重心ベルト（１９）、肘台ＡＢＣ（３０）、左右のタッチパット（１４）（１５）は運動生理学、また神経、椎間板、筋肉などの仕組みと働きを栄養学と生理学的なエビデンスの元に考案し、発明した活気的なものです。また不慮の事故以外に背部または腰部に痛みが生じると、体を動かすことからだんだん遠ざかり不橈性が生じてしまい、エネルギー代謝が低下することによって骨がもろくなったり、骨の変形による、石灰化、骨棘などの出現による、脊髄及び脊髄神経の圧迫、損傷による痛みの症状、麻痺症状、機能不全になることなどが判明されています。また本発明を使用することより、症状の度合にもよりますが痛みの緩和、解消、もしくは軽症であれば改善の余地のある脊柱の運動器具であります。
【００１１】使用法その（２）、重心ベルトを利用した場合の使用法
（イ）まず基本的には使用法（１）の手順で行ないますが、まず左右のタッチパット（１４）（１５）を元の位置に９０°回転して戻します。次に重心ベルト（１９）を体の重心である仙骨部の左右に位置する大臀筋に前の腹部からベルトを巻き付け、左右の後にあるベルト（２３）（２４）を軽く締めてから前部にあるマジックテープ（２５）に装着します。
（ロ）次に本体中心軸（１）にある、正面フック（１１）の仙骨の高さにあるフックのポジションに、重心ベルト（１９）にある正面ゴム金具（２０）をそのポジションに取付け、左右にあるゴム金具（２１）（２２）を本体の左右にある、右フック（１２）左フック（１３）をそれぞれの高さに取付けます。そして左右の肘掛台（５）（６）に肘を掛け、前部にあるにぎり棒（９）（１０）をにぎり、本体の土台（３）にある、スタンスの目安Ｂ（１７）に下肢の両足底を平行に置きます。
（ハ）そして使用法その（１）で記した、伸展、側屈、回旋の運動をすることによって、さらに脊柱の支持性、可動性をさらに強化すると共に脊柱支持筋の強化、椎体の形態の機能保持、前縦靱帯、後縦靱帯、及び黄色靱帯の骨化症の予防、椎間板の退行変性における機能の維持、とくに脊髄、脊髄神経、末梢神経には特異的な効果をもたらしています。
（ニ）次に（ハ）の効果を説明する前に本発明の重心ベルト（１９）の考案の理由について、重心ベルトに取り付けている正面ゴム金具（２０）、左右のゴム金具（２１）（２２）は空洞で弾力性と耐久性に富んだゴムでその先端にカギ状の金具を取り付けたものです。この１本のゴム金具に対する張力は１．５ｋｇ−２．０ｋｇで反応します。３本合わせると約４．５ｋｇ−６．０ｋｇの負荷を生み出すことになります。また体の重心部である仙骨の部分に重心ベルト（１９）を装着して伸展、側屈、回旋をする訳は、脊柱支持筋である深層の多裂筋、中間層の半棘筋は脊柱下部の横突起から上位の靺突起に付着し頚半棘筋、頭半棘筋に至り脊柱の支持性を高め、下から上へと支持筋が付着していますので、上肢の支持性を高め、仙骨部の伸展、側屈、回旋の運動をすることが脊柱の一番の理想的な運動ということになります。
（ホ）そして使用法その（２）の手順に従い重心ベルト（１９）を後に引くと、正面フック（１１）と左右のフック（１２）（１３）に約４．５ｋｇ−６．０ｋｇの張力が生じます。同じように重心ベルト（１９）を左側に引くと、正面フック（１１）、右フック（１２）に約３．０ｋｇ−４．５ｋｇの張力が生じます。同じように重心ベルト（１９）を右側に引くと正面フック（１１）と左フック（１３）に約３．０ｋｇ−４．５ｋの張力が生じることになります。ではこの張力は何によって生じているのかと申しますと、脊柱の生理的な湾曲が生み出していることになります。つまりこの湾曲が伸展、側屈、回旋力に対する抵抗性を生み出しているのですから、この生理的湾曲をいかに維持するかが発明の一番の着眼点です。もし脊柱がまっすぐな柱の状態であれば、後に引くことも、左右に引くことも困難というよりは不可能なことです。いかに脊柱の支持性と可動性がいかに大事であるかということになります。
（ヘ）また本発明の重心ベルト（１９）を使用し（ホ）の運動を行なうことによりもう１つの利点があります。たとえば重心ベルトを後に引く時の最初の位置を０とした場合、元の位置に戻ろうとする時に、今度は重心ベルトの前に戻ろうとする収縮力により元の０の位置に戻るのではなく、０の位置よりも前に移動してから最初の０の位置に戻ることになります。つまり重心ベルトのゴム金具（２０）（２１）（２２）の張力と収縮力の特性を生かすことによって、真に一石二鳥の運動の効果を発揮していることになります。そして刺激を与えているか所は、筋肉では深部の棘間筋、横突間筋、回旋筋、と多裂筋です。靱帯では棘上靱帯、棘間靱帯と後縦靱帯です。また椎間板では、後部上下の椎骨と、後部の線維輪の生理的機能の維持もしくは促進することが可能となります。
（ト）次に本発明の重心ベルト（１９）を使用し左右の伸展、側屈、の使用法と利点を説明します。（ホ）の運動の手順に従い重心ベルトを左に移動すると、正面ゴム金具（２０）と右ゴム金具（２１）に張力が生じ、左側脊柱全体に伸展の負荷を与えることにより、刺激が生じます。また最初の０の位置に戻ろうとする時に今度は正面ゴム金具（２０）と右ゴム金具（２１）に収縮力が生じ０の位置に戻るのではなく、０の位置よりも右側に移動します。この時今度は逆に正面ゴム金具（２０）と左ゴム金具（２２）に張力が生じることによって、また左側に伸展するという動作が可能となります。またスムーズな左右の伸展、側屈の運動をくり返すことによって失われた脊柱の支持性、可動性をとり戻すと共に機能の維持、促進に最良であることは一目瞭然であります。そして刺激を与えるか所は棘間筋、横突間筋、回旋筋と多裂筋です。椎間板では左右の側湾部の上下の椎骨と線維輪そして髄核の生理的機能の維持、もしくは改善をすることが可能となります。
（チ）次に本発明の重心ベルト（１９）を使用し、回旋の運動の使用法と利点を説明します。まず図１に示す本体に設置の正面フック（１１）と左右のフック（１２）（１３）を設けた理由です。身長の高低によるものと重心部の位置の違いによるものを考慮したもので、本体中心軸（１）に向かって立位し、重心ベルト（１９）をできるだけ水平方向に回旋できるよう、また本体中心軸（１）に向かって立位することにより、左右均等に脊柱の回旋運動が効率よくスムーズに行なえるようにと考案したものです。また、重心ベルトの正面ゴム金具（２０）と左右のゴム金具（２１）（２２）を図１に示す、本体にある正面フック（１１）と左右のフック（１２）（１３）のそれぞれの位置に取り付け、本体中心軸（１）の正面に立位し、左右の肘掛け台（５）（６）に肘を掛け、前部にある左右のにぎり棒（９）（１０）をにぎり、本体土台（３）に位置する左右のスタンス目安ＡＢ（１６）（１７）のいずれかの位置に下肢の両足底を置くことで動作ができる訳ですが、この時重心ベルトには正面、左右のゴム金具の張力と収縮力が生じているので、脊柱全体を常に体の重心部に戻ろうとする力が働きます。ここが重心ベルト発明の一番の着眼点でもあります。
（リ）次に左から右へと回旋の動きをする時に重心ベルト（１９）に生じる、正面、左右のゴム金具（２０）（２１）（２２）のメカニズムと設けた理由です。まず本体中心軸（１）に位置して重心ベルト（１９）を左側に移動すると、左側の張力が収縮力に変わり楽な状態で左側に移動します。この時に正面ゴム金具（２０）と右ゴム金具（２１）にはさらに張力が加わることになります。次に重心ベルトを正面に移動すると、正面ゴム金具（２０）の張力が収縮力に変わり楽な状態で正面に移動します。この時に右ゴム金具（２１）と左ゴム金具（２２）にはさらに張力が加わることになります。同じように重心ベルトを右側に移動すると、右ゴム金具（２１）の張力が収縮力に変わり楽な状態で右側に移動します。この時に正面ゴム金具（２０）と左ゴム金具（２２）にはさらに張力が加わることになります。次に重心ベルトを後側に移動すると正面ゴム金具（２０）と右ゴム金具（２１）、左ゴム金具（２２）にはまた張力が加わることになります。つまり脊柱のスムーズな回旋による運動が脊柱に与える効果は絶大なものがあるということです。
（ヌ）さらに重心ベルトを後側に移動した状態では、正面と左右のゴム金具（２０）（２１）（２２）による張力と収縮力がさらに増しているので、本体中心軸（１）のスタートの位置に戻るはずなのですが、回旋の反動による力のモーメントが働いたことにより左側に移動します。つまり回旋の力のモーメントにより脊柱支持筋である深層の棘間筋、横突間筋、回旋筋と多裂筋が機能したことになります。どうしてかと申しますともともと脊柱の回旋と側屈に関与している筋だからです。またこの動作に関与している前縦靱帯、後縦靱帯、黄色靱帯、椎骨、そして椎間板である線維輪と髄核などは負荷による適確な刺激を与えることによって脊柱全体のエネルギー代謝を活発にし、脊柱の生理的湾曲を維持すると共に支持性、可動性を維持、促進することが本発明の発想の着眼点であります。またこの重心ベルトは個々人の体形に合わせた回旋の軌道で運動ができるので非常に効果的な運動ができることになります。
（ル）次に３本のゴム金具（２０）（２１）（２２）を考案するにあたりヒントを得たのは筋肉の仕組みです。筋肉は動力を生み出し、しかも音も出さないスムーズな動きを与えてくれる小さなエンジンです。つまり収縮力によって力を出し、伸張することによっても力を出しています。これと同じような機能をもつものに何があるのか、もしこの回旋の運動を電動の動力で行なうとしたら、個々人の体形に合わせた軌道で運動ができるのだろうか、毎回プログラムの設定を変えなければならないのか、また動力によって他動運動をすることによって本発明の課題である、脊柱の生理的湾曲を維持しつつ、支持性、可動性を保つことができるのか、３ヵ所にその機械を考案し設置したとしても費用がいくらかかるのだろうかという問題点ばかりで考案の見解には至りませんでした。そこで辿り着いたのが太さ０．８ｃｍで中が空洞状態のゴムです。張力があり、収縮力があり、柔軟性と耐久性を備えた、まさしく筋肉の仕組みと同等の動力を生み出してくれる小さなエンジンでした。そして重心ベルト（１９）にある３つのポジション正面、左右のゴム金具（２０）（２１）（２２）を設置することで、脊柱の理想的な負荷による回旋運動を可能にしたということです。
（オ）次に図１に示す、本体の左右の肘掛け台（５）（６）、左右のにぎり棒（９）（１０）と図３に示す、肘台ＡＢＣ（３０）を設けた理由と利点について説明します。通常の場合直立の姿勢で前屈すると、前が屈曲となり背部が伸展という形になります。左右の両下肢が支点となり、仙骨の重心部である臀部が力点となりこの動作ができる訳なのですが、しかしこの動作は骨格筋によるもので前屈は腹直筋、伸展は脊柱起立筋によるものであり脊柱を支持している動きではなく、脊柱支持筋、靱帯、及び椎間板に対しての刺激は弱くなります。しかし、図１に示すスタンス目安Ａスタンス目安Ｂ（１６）（１７）の下肢に支点を設けたのと同じように、本体にも上肢の支点を設けたことにあります。上下に支点を設けることによって支持性を高め、脊柱に対する運動の刺激を的確に伝えることが本発明の着眼点です。また肘台ＡＢＣ（３０）に関しては身長の高低によるものと重心部の位置の違いによるものを考慮し、考案したもので上肢の支持性を高め、高からず、低からず、重心ベルト（１９）が左右の伸展、側屈及び回旋の運動が効率よくスムーズに行なえるようにと考案したものです。
（ワ）次に図１に示す、本体の土台（３）に示すスタンス目安Ａ、スタンス目安Ｂ（１６）（１７）を設けた理由と利点について説明します。まず本発明を用いて伸展、側屈、回旋の運動を効果的に行なうためには立位の状態で、直立の姿勢が必要となります。その訳は、身体の垂直軸は頭から足まで貫く状態であり、それに直交して、身体の前から後まで貫くものを矢状軸といい、両者に直交しているものを前額軸とされています。つまり真上から見ても中心であり、正面から見ても中心であり、真横から見ても中心であることが望ましいと考え、その重心点である仙骨部の臀部に重心ベルト（１９）を装着し伸展、側屈、回旋の運動をすることによって脊柱の支持性と可動性を保つと共に、否みによって生じる痛み、鈍痛の緩和、解消、改善を図るものとして考えたのが最初の着眼点であります。
（カ）また、基本軸や基本面が必ずしも身体の中心軸を通るとは限らない場合もあります。たとえば右大腿部の矢状面を考えた時に内側には内側広筋、外側には外側広筋があります。下腿部の場合は前額面に対して前部には前脛骨筋、後部には後脛骨筋があり、脊柱の支持性または安定性を確保しています。また股関節においては内転と外転の可動域が大きく、スタンスの幅を変えることによって刺激の度合をより一層高めるものとしてスタンス目安Ａ（１６）、スタンス目安Ｂ（１７）を設置するものとしました。また伸展、側屈、回旋の運動をする時に前後、左右の拮抗筋の機能を高めるものとしても考案したものであります。
（ヨ）次に（２）と（３）を支えているフレーム４を設けた理由と利点について説明します。重心ベルト（１９）を装着し伸展、側屈、回旋の運動をする時にゴム金具の収縮力と張力を最大限に生かすためには、左右に支えになるものでしかも固くて撓りのあるものが必要であることが分かりました。そのため厚さが０．２ｃｍで太さが２ｃｍの空洞のステンレスのパイプを使用しています。また左右のフック（１２）（１３）をフレーム４の中心より外側に移動して設けたのは、耐久性と撓りを確保するために加工したものです。もしフレーム４を真っすぐなものにし、３か所にフックを設けて運動するとどうしても力点が１か所になりフレーム４が内側に沿ってしまいます。そこで力点を外側に移動し、立て長に力点を設け、四隅を加工し耐久性と撓りを失わないように考案したものであります。
（タ）また、靱帯はそれぞれの骨を結合することより支持性を高めています。腱組織は隣接の骨格に付着し可動性を高めています。筋肉も同じく脊柱の支持性を高め骨格筋を動かすことによってエネルギー代謝を活発にし脊柱の生理的な機能を維持することができます。また脊髄、脊髄神経及び末梢神経系についてですが、末梢神経は神経線維の束でできています。また神経線維は脂肪性の物質でできたミエリンと呼ばれる組織で何層にも包まれています。このミエリン鞘が多いと神経インパルスが神経線維を伝わる速度を速めてくれるというものです。そして神経がインパルスを伝える速さが神経の直径と回りを囲むミエリンの量によって異なるということが判明されています。つまりこの部分が本発明の課題でもあり着眼点にもなりました。
（レ）どうしてかと申しますと、神経線維はタンパク質であるアミノ酸で構成され、ミエリンという物質は血液中に存在するリポタンパクで構成されています。細胞である以上はエネルギー代謝が必要となり栄養素と酸素が必要となります。そのためには脊柱を支持している支持筋、骨格を支持している骨格筋を介して神経組織のエネルギー代謝を高める必要があります。骨格に沿って神経は走り、筋肉の隙間を通って神経は走り、体幹の表皮、上肢の指先、大腿の動き、下肢の足指までの動きをコントロールし、体幹、上肢、大腿、下肢の皮膚の感覚を脊髄を通して脳に送っています。その機能を維持するためには脊髄、脊髄神経及び末梢神経系に対して運動が必要であるというのが本発明の着眼点でもあります。そして本体の中心軸（１）に向かって立位し、左右の肘掛け台（５）（６）に肘を掛け、左右のにぎり棒（９）（１０）をにぎり、本体の土台（３）にあるスタンス目安ＡＢ（１６）（１７）のいずれかの位置に両足底を平行に置き、上肢、下肢の支持性を高めた状態で伸展、側屈、回旋の運動をすることによって脊髄、脊髄神経が定められた正規の位置で機能できるよう考案した脊柱の運動器具であります。
（ソ）また上記の（ハ）の運動をすることにより筋肉、靱帯、腱、椎間板にも刺激を与えることになり、肩関節、脊柱の関節、股関節、膝関節、足関節に至るまで３つの運動をすることにより、上記のすべての関節に刺激を与えるという発想は本発明の特徴でもあります。そして下肢の支持性を保ち上肢の支持性を高めるとことにより、垂直軸の重心部である仙骨の位置の臀部を伸展、側屈、回旋の運動をすることにより、本発明の課題でもある体幹、上肢、下肢の動きを快活なものにすると同時に、脊柱の椎骨の変形による脊髄及び脊髄神経の圧迫、また椎間板の退行変性による圧迫、そして黄色靱帯の骨化症によって生じる圧迫に伴う痛み、しびれ、鈍痛などの症状を緩和、解消すると共に脊柱全体の生理的機能を維持、促進するものとして考案した脊柱の運動器具であります。
【符号の説明】
【００１２】１  本体の中心軸
２  肘掛けアーム
３  本体土台
４  （２）と（３）を支えるフレーム
５  右肘掛け台
６  左肘掛け台
７  右差し棒の穴
８  左差し棒の穴
９  右にぎり棒
１０  左にぎり棒
１１  正面フック
１２  右フック
１３  左フック
１４  右タッチパット
１５  左タッチパット
１６  スタンス目安Ａ
１７  スタンス目安Ｂ
１８  キャスター
１９  重心ベルト本体
２０  正面ゴム金具
２１  右ゴム金具
２２  左ゴム金具
２３  左後ベルト
２４  右後ベルト
２５  前面マジックテープ
２６  後面マジックテープ
２７  肘台本体
２８  肘掛けスポンジ
２９  差し棒
３０  肘台ＡＢＣ３対
【図１】
2016087380.tif 000003
【図２】
2016087380.tif 000004
【図３】
2016087380.tif 000005
【図４】
2016087380.tif 000006
【図５】
2016087380.tif 000007
【図６】
2016087380.tif 000008
【図７】
2016087380.tif 000009
【手続補正書】
【提出日】平成27年10月2日(2015.10.2)
【手続補正１】
【補正対象書類名】特許請求の範囲
【補正対象項目名】請求項７
【補正方法】変更
【補正の内容】
【請求項７】
１  前記本体に設置の正面フック（１１）、右フック（１２）、左フック（１３）を設けることにより身長に適応した重心部に取り付けることによって、重心ベルト本体（１９）の正面ゴム金具（２０）、右ゴム金具（２１）、左ゴム金具（２２）の張力と収縮力を生かし効果的な運動を行うことを目的に考案した請求項１の脊柱の運動器具。また図１本体には正面フック、右フック、左フック（１１）（１２）（１３）はそれぞれの位置に固定されていますが、１つのフックを設け上中下と上下に移動式にすることも可能です。
【手続補正２】
【補正対象書類名】明細書
【補正対象項目名】０００５
【補正方法】変更
【補正の内容】
【０００５】１  本体の中心軸  ２  肘掛けアーム  ３  本体土台  ４  （２）と（３）を支えるフレーム  ５  右肘掛け台  ６  左肘掛け台  ７  右差し棒の穴２箇所  ８  左差し棒の穴２箇所  ９  右にぎり棒  １０  左にぎり棒  １１  正面フック３段階  １２  右フック３段階  １３  左フック３段階  １４  右タッチパット  １５  左タッチパット  １６  スタンス目安Ａ  １７  スタンス目安Ｂ  １８  キャスター
本体は主にステンレスで構成されています。上の肘掛け台、下の上台は厚さ０．２ｃｍで太さ５ｃｍ空洞のパイプになっています。また、正面の中心軸は横長の長方形で端を丸形に加工しています。また、上下のパイプを支えるために左右にあるパイプは厚さが０．２ｃｍで太さが２ｃｍの空洞のパイプです。その中間部にある３つの丸形のフックはカギ状の物を引っかける所です。またその左右にあるタッチパットは内側に１８０°回転でき、合板に皮革を加工したものです。また上部のパイプが一部分加工されているのは、パイプを３分１を切り取り、平に加工し２か所のさし棒の穴を設けたものです。その前部にあるにぎり棒は、身長の高低により、にぎるか所の違いにより２５ｃｍと高く設置したものです。
【手続補正３】
【補正対象書類名】明細書
【補正対象項目名】０００６
【補正方法】変更
【補正の内容】
【０００６】１９  重心ベルト本体  ２０  正面ゴム金具  ２１  右ゴム金具  ２２  左ゴム金具  ２３  左後ベルト  ２４  右後ベルト  ２５  前面マジックテープ  ２６  後面マジックテープ
本体重心ベルトは合成樹脂で構成されています。臀部に当て使用しますのでほど良い固さと伸縮性があります。左右の後部は幅が狭くなり内側にはマジックテープが取り付けてあり、重心ベルトの前部にもマジックテープが取り付けてあります。正面、左右にあるゴム金具は太さが０．８ｃｍで中が空洞状態のゴムです。その先端にはカギ状の金具が取り付けてあります。本体の長さは１８０ｃｍでフリーサイズで使用できます。
【手続補正４】
【補正対象書類名】明細書
【補正対象項目名】０００７
【補正方法】変更
【補正の内容】
【０００７】２７  肘台本体  ２８  肘掛けスポンジ  ２９  肘台差し棒  ３０  肘台Ａ、Ｂ、Ｃ
肘台本体は合板を加工したもので、上部にかまぼこ型のスポンジを張り付け、また上から皮革を加工したものです。下部にある２本の差し棒は肘台本体を固定し安定させるものです。また肘台ＡＢＣは身長の高低による肘の高さを考慮し肘台ＡＢＣ３対としました。以上の構成による脊柱の運動器具であります。
【手続補正５】
【補正対象書類名】明細書
【補正対象項目名】０００９
【補正方法】変更
【補正の内容】
【０００９】
【図１】本発明の本体の斜面図
【図２】本発明の重心ベルトの背面図
【図３】本発明の肘台の斜面図
【図４】本発明の右タッチパットの使用斜面図
【図５】重心ベルトのゴム金具の収縮力と張力の背面図
【図６】右肘掛け台使用時の前後の前屈と背屈の状態側面図ＡＢ
【図７】フレーム４を加工した場合としない場合の撓りの状態正面図
【手続補正６】
【補正対象書類名】明細書
【補正対象項目名】００１０
【補正方法】変更
【補正の内容】
【００１０】使用法その（１）、タッチパットを利用した場合の本発明の実施の形態を説明する。
（イ）まず身長に合った肘台ＡＢＣ（３０）から１対を選び、本体の左右にある差し棒の穴（７）（８）に、肘台本体（２７）の肘台差し棒（２９）を差し込みます。
（ロ）次に本体の左右にあるタッチパット（１４）（１５）を本体の内側に９０°回転し固定します。
（ハ）次に本体の中心軸（１）に体を向け立位の状態で、左右の肘掛台（５）（６）に両肘を掛け、前部にあるにぎり棒（９）（１０）をつかみ上肢の支持性を確保します。
（ニ）そして本体の土台（３）にあるスタンスの目安Ｂ（１７）に下肢の両足底を平行にセットすることによって、下肢の支持性を確保します。
（ホ）次に体の重心部に位置する仙骨部の右臀部を右タッチパット（１４）に寄せると脊柱の右側が伸展という動作になり、左側が側屈という動作になり脊柱の運動ができます。またこの運動により右のタッチパット（１４）に触れているのか、いないのか判断することができます。
（ヘ）同じように左タッチパット（１５）に今度は左臀部を寄せると、脊柱の左側が伸展という動作になり、右側が側屈という動作になり脊柱の運動ができます。またこの動作により左に触れているのか、触れていないのかの判断ができます。そのことによって脊柱の生理的湾曲を保っているのか、またどちらかに傾きがあるのかフィードバックすることができます。
（ト）今度はスタンス目安Ａ（１６）に下肢の両足底を平行にして、上記（ホ）と（ヘ）の運動を行ないます。スタンスを広くとると股関節の可動域が大きくなることによって、左右のタッチパット（１４）（１５）に触れることができるはずなのですが、それでも触れない場合もあります。つまり脊柱の支持性及び可動性が失われ、脊柱管、椎体、椎間板、軟骨終板、靱帯ならびに深層の支持筋に支障のあることが理解できます。
（チ）次にどうして本発明の肘台ＡＢＣ（３０）、左右のにぎり棒（９）（１０）、スタンスの目安Ａ（１６）、目安Ｂ（１７）を使用することによって、脊柱にどういう影響を与えるのかと申しますと。
（リ）まず本体の中心軸（１）に向かって直立の状態で立位し、左右の肘掛け台（５）（６）に肘を置き、左右のにぎり棒（９）（１０）をにぎり、スタンスの目安ＡＢ（１６）（１７）のいずれかの位置に下肢の両足底を平行にすることによって、安定した直立の姿勢をとることができます。そうすると、脊柱には上から下への負荷、上から下からの椎間板を通しての並進の負荷、左右、前後への移動することのない負荷と並進の負荷、また直立することによって体には１Ｇという重力がかかることになります。
（ヌ）次に（リ）の状態を保ちながら左右の伸展、側屈を繰り返すことによって脊柱の基本単位である上下の椎骨、椎間板、前後の靱帯は刺激に対して反応しエネルギー代謝が活発になることにより強固な状態を保ち、脊柱の支持性、可動性を高めることができます。また基本単位である構成要素の１つでも機能不全を起こしてしまうと、他の構成要素が機能不全を起こしてしまうことになります。
（ル）また（リ）の状態を保ちながら今度は前後への伸展、側屈を繰り返すことにより椎間関節の後方要素として黄色靱帯、棘上、棘間靱帯も刺激に対して反応しエネルギー代謝が活発になることによって、より強固な状態を保ち脊柱の支持性、可動性を高めることができるというものです。
（オ）さらに（リ）の状態を保ちながら、今度は左右への伸展、側屈を繰り返すことにより左回り、右回りの回旋の運動が可能となりさらに深部の組織である。線維輪、髄核、軟骨終板、そして椎体の毛細血管に至るまで刺激することができます。また組織である以上栄養素と酸素が必要なのですが、椎間板は人体としては最大の無血管組織ですから、どのように栄養素と酸素を供給するのかということになります。
（ワ）そして（リ）の状態を保ちながら、今度は回旋の運動をすることによって栄養素と酸素をすみやかに、腰椎分節動脈の枝より軟骨終板を介して供給され、今度は軟骨の下静脈の叢より老廃物を排出してエネルギー代謝を促進し、生理的な機能を維持することができます。また脊柱は日常的に動きの少ない部分でもあり、加齢に伴う退行変性をきたしやすい部分でもあり、その機能を維持することがいかに大切であるかということになります。
（カ）また、本発明である。本体中心軸（１）、重心ベルト（１９）、肘台ＡＢＣ（３０）、左右のタッチパット（１４）（１５）は運動生理学、また神経、椎間板、筋肉などの仕組みと働きを栄養学と生理学的なエビデンスの元に考案し、発明した活気的なものです。また不慮の事故以外に背部または腰部に痛みが生じると、体を動かすことからだんだん遠ざかり不橈性が生じてしまい、エネルギー代謝が低下することによって骨がもろくなったり、骨の変形による、石灰化、骨棘などの出現による、脊髄及び脊髄神経の圧迫、損傷による痛みの症状、麻痺症状、機能不全になることなどが判明されています。また本発明を使用することより、症状の度合にもよりますが痛みの緩和、解消、もしくは軽症であれば改善の余地のある脊柱の運動器具であります。
【手続補正７】
【補正対象書類名】明細書
【補正対象項目名】００１１
【補正方法】変更
【補正の内容】
【００１１】
使用法その（２）、重心ベルトを利用した場合の使用法
（イ）まず基本的には使用法（１）の手順で行ないますが、まず左右のタッチパット（１４）（１５）を元の位置に９０°回転して戻します。次に重心ベルト（１９）を体の重心である仙骨部の左右に位置する大臀筋に前の腹部からベルトを巻き付け、左右の後にあるベルト（２３）（２４）を軽く締めてから前部にあるマジックテープ（２５）に装着します。
（ロ）次に本体中心軸（１）にある、正面フック（１１）の仙骨の高さにあるフックのポジションに、重心ベルト（１９）にある正面ゴム金具（２０）をそのポジションに取付け、左右にあるゴム金具（２１）（２２）を本体の左右にある、右フック（１２）左フック（１３）をそれぞれの高さに取付けます。そして左右の肘掛台（５）（６）に肘を掛け、前部にあるにぎり棒（９）（１０）をにぎり、本体の土台（３）にある、スタンスの目安Ｂ（１７）に下肢の両足底を平行に置きます。
（ハ）そして使用法その（１）で記した、伸展、側屈、回旋の運動をすることによって、さらに脊柱の支持性、可動性をさらに強化すると共に脊柱支持筋の強化、椎体の形態の機能保持、前縦靱帯、後縦靱帯、及び黄色靱帯の骨化症の予防、椎間板の退行変性における機能の維持、とくに脊髄、脊髄神経、末梢神経には特異的な効果をもたらしています。
（ニ）次に（ハ）の効果を説明する前に本発明の重心ベルト（１９）の考案の理由について、重心ベルトに取り付けている正面、左右のゴム金具は空洞で弾力性と耐久性に富んだゴムでその先端にカギ状の金具を取り付けたものです。この１本のゴム金具に対する張力は約１．５〜２．０ｋｇで反応します。そのため重心ベルトの正面、左右のゴム金具の長さは、本体図１にある正面、左右のフックに取り付ける位置よりも１０ｃｍ短い長さに設定してあります。また体の重心部である仙骨の部分に重心ベルト（１９）を装着して伸展、側屈、回旋をする訳は、脊柱支持筋である深層の多裂筋、中間層の半棘筋は脊柱下部の横突起から上位の棘突起に付着し頚半棘筋、頭半棘筋に至り脊柱の支持性を高め、下から上へと支持筋が付着していますので、上肢の支持性を高め、仙骨部の伸展、側屈、回旋の運動をすることが脊柱の一番の理想的な運動ということになります。
（ホ）そして使用法その（２）の手順に従い重心ベルト（１９）を後に引くと、正面フック（１１）と左右のフック（１２）（１３）に約４．５ｋｇ−６．０ｋｇの張力が生じます。同じように重心ベルト（１９）を左側に引くと、正面フック（１１）、右フック（１２）に約３．０ｋｇ−４．５ｋｇの張力が生じます。同じように重心ベルト（１９）を右側に引くと正面フック（１１）と左フック（１３）に約３．０ｋｇ−４．５ｋの張力が生じることになります。ではこの張力は何によって生じているのかと申しますと、脊柱の生理的な湾曲が生み出していることになります。つまりこの湾曲が伸展、側屈、回旋力に対する抵抗性を生み出しているのですから、この生理的湾曲をいかに維持するかが発明の一番の着眼点です。もし脊柱がまっすぐな柱の状態であれば、後に引くことも、左右に引くことも困難というよりは不可能なことです。いかに脊柱の支持性と可動性がいかに大事であるかということになります。
（ヘ）また本発明の重心ベルト（１９）を使用し（ホ）の運動を行なうことによりもう１つの利点があります。たとえば重心ベルトを後に引く時の最初の位置を０とした場合、元の位置に戻ろうとする時に、今度は重心ベルトの前に戻ろうとする収縮力により元の０の位置に戻るのではなく、０の位置よりも前に移動してから最初の０の位置に戻ることになります。つまり重心ベルトのゴム金具（２０）（２１）（２２）の張力と収縮力の特性を生かすことによって、真に一石二鳥の運動の効果を発揮していることになります。そして刺激を与えているか所は、筋肉では深部の棘間筋、横突間筋、回旋筋、と多裂筋です。靱帯では棘上靱帯、棘間靱帯と後縦靱帯です。また椎間板では、後部上下の椎骨と、後部の線維輪の生理的機能の維持もしくは促進することが可能となります。
（ト）次に本発明の重心ベルト（１９）を使用し左右の伸展、側屈、の使用法と利点を説明します。（ホ）の運動の手順に従い重心ベルトを左に移動すると、正面ゴム金具（２０）と右ゴム金具（２１）に張力が生じ、左側脊柱全体に伸展の負荷を与えることにより、刺激が生じます。また最初の０の位置に戻ろうとする時に今度は正面ゴム金具（２０）と右ゴム金具（２１）に収縮力が生じ０の位置に戻るのではなく、０の位置よりも右側に移動します。この時今度は逆に正面ゴム金具（２０）と左ゴム金具（２２）に張力が生じることによって、また左側に伸展するという動作が可能となります。またスムーズな左右の伸展、側屈の運動をくり返すことによって失われた脊柱の支持性、可動性をとり戻すと共に機能の維持、促進に最良であることは一目瞭然であります。そして刺激を与えるか所は棘間筋、横突間筋、回旋筋と多裂筋です。椎間板では左右の側湾部の上下の椎骨と線維輪そして髄核の生理的機能の維持、もしくは改善をすることが可能となります。
（チ）次に本発明の重心ベルト（１９）を使用し、回旋の運動の使用法と利点を説明します。まず図１に示す本体に設置の正面フック（１１）と左右のフック（１２）（１３）を設けた理由です。身長の高低によるものと重心部の位置の違いによるものを考慮したもので、本体中心軸（１）に向かって立位し、重心ベルト（１９）をできるだけ水平方向に回旋できるよう、また本体中心軸（１）に向かって立位することにより、左右均等に脊柱の回旋運動が効率よくスムーズに行なえるようにと考案したものです。また、重心ベルトの正面ゴム金具（２０）と左右のゴム金具（２１）（２２）を図１に示す、本体にある正面フック（１１）と左右のフック（１２）（１３）のそれぞれの位置に取り付け、本体中心軸（１）の正面に立位し、左右の肘掛け台（５）（６）に肘を掛け、前部にある左右のにぎり棒（９）（１０）をにぎり、本体土台（３）に位置する左右のスタンス目安ＡＢ（１６）（１７）のいずれかの位置に下肢の両足底を置くことで動作ができる訳ですが、この時重心ベルトには正面、左右のゴム金具の張力と収縮力が生じているので、脊柱全体を常に体の重心部に戻ろうとする力が働きます。ここが重心ベルト発明の一番の着眼点でもあります。
（リ）次に左から右へと回旋の動きをする時に重心ベルト（１９）に生じる、正面、左右のゴム金具（２０）（２１）（２２）のメカニズムと設けた理由です。まず本体中心軸（１）に位置して重心ベルト（１９）を左側に移動すると、左側の張力が収縮力に変わり楽な状態で左側に移動します。この時に正面ゴム金具（２０）と右ゴム金具（２１）にはさらに張力が加わることになります。次に重心ベルトを正面に移動すると、正面ゴム金具（２０）の張力が収縮力に変わり楽な状態で正面に移動します。この時に右ゴム金具（２１）と左ゴム金具（２２）にはさらに張力が加わることになります。同じように重心ベルトを右側に移動すると、右ゴム金具（２１）の張力が収縮力に変わり楽な状態で右側に移動します。この時に正面ゴム金具（２０）と左ゴム金具（２２）にはさらに張力が加わることになります。次に重心ベルトを後側に移動すると正面ゴム金具（２０）と右ゴム金具（２１）、左ゴム金具（２２）にはまた張力が加わることになります。つまり脊柱のスムーズな回旋による運動が脊柱に与える効果は絶大なものがあるということです。
（ヌ）さらに重心ベルトを後側に移動した状態では、正面と左右のゴム金具（２０）（２１）（２２）による張力と収縮力がさらに増しているので、本体中心軸（１）のスタートの位置に戻るはずなのですが、回旋の反動による力のモーメントが働いたことにより左側に移動します。つまり回旋の力のモーメントにより脊柱支持筋である深層の棘間筋、横突間筋、回旋筋と多裂筋が機能したことになります。どうしてかと申しますともともと脊柱の回旋と側屈に関与している筋だからです。またこの動作に関与している前縦靱帯、後縦靱帯、黄色靱帯、椎骨、そして椎間板である線維輪と髄核などは負荷による適確な刺激を与えることによって脊柱全体のエネルギー代謝を活発にし、脊柱の生理的湾曲を維持すると共に支持性、可動性を維持、促進することが本発明の発想の着眼点であります。またこの重心ベルトは個々人の体形に合わせた回旋の軌道で運動ができるので非常に効果的な運動ができることになります。
（ル）次に３本のゴム金具（２０）（２１）（２２）を考案するにあたりヒントを得たのは筋肉の仕組みです。筋肉は動力を生み出し、しかも音も出さないスムーズな動きを与えてくれる小さなエンジンです。つまり収縮力によって力を出し、伸張することによっても力を出しています。これと同じような機能をもつものに何があるのか、もしこの回旋の運動を電動の動力で行なうとしたら、個々人の体形に合わせた軌道で運動ができるのだろうか、毎回プログラムの設定を変えなければならないのか、また動力によって他動運動をすることによって本発明の課題である、脊柱の生理的湾曲を維持しつつ、支持性、可動性を保つことができるのか、３ヵ所にその機械を考案し設置したとしても費用がいくらかかるのだろうかという問題点ばかりで考案の見解には至りませんでした。そこで辿り着いたのが太さ０．８ｃｍで中が空洞状態のゴムです。張力があり、収縮力があり、柔軟性と耐久性を備えた、まさしく筋肉の仕組みと同等の動力を生み出してくれる小さなエンジンでした。そして重心ベルト（１９）にある３つのポジション正面、左右のゴム金具（２０）（２１）（２２）を設置することで、脊柱の理想的な負荷による回旋運動を可能にしたということです。
（オ）次に図１に示す、本体の左右の肘掛け台（５）（６）、左右のにぎり棒（９）（１０）と図３に示す、肘台ＡＢＣ（３０）を設けた理由と利点について説明します。通常の場合直立の姿勢で前屈すると、前が屈曲となり背部が伸展という形になります。左右の両下肢が支点となり、仙骨の重心部である臀部が力点となりこの動作ができる訳なのですが、しかしこの動作は骨格筋によるもので前屈は腹直筋、伸展は脊柱起立筋によるものであり脊柱を支持している動きではなく、脊柱支持筋、靱帯、及び椎間板に対しての刺激は弱くなります。しかし、図１に示すスタンス目安Ａスタンス目安Ｂ（１６）（１７）の下肢に支点を設けたのと同じように、本体にも上肢の支点を設けたことにあります。上下に支点を設けることによって支持性を高め、脊柱に対する運動の刺激を的確に伝えることが本発明の着眼点です。また肘台ＡＢＣ（３０）に関しては身長の高低によるものと重心部の位置の違いによるものを考慮し、考案したもので上肢の支持性を高め、高からず、低からず、重心ベルト（１９）が左右の伸展、側屈及び回旋の運動が効率よくスムーズに行なえるようにと考案したものです。
（ワ）次に図１に示す、本体の土台（３）に示すスタンス目安Ａ、スタンス目安Ｂ（１６）（１７）を設けた理由と利点について説明します。まず本発明を用いて伸展、側屈、回旋の運動を効果的に行なうためには立位の状態で、直立の姿勢が必要となります。その訳は、身体の垂直軸は頭から足まで貫く状態であり、それに直交して、身体の前から後まで貫くものを矢状軸といい、両者に直交しているものを前額軸とされています。つまり真上から見ても中心であり、正面から見ても中心であり、真横から見ても中心であることが望ましいと考え、その重心点である仙骨部の臀部に重心ベルト（１９）を装着し伸展、側屈、回旋の運動をすることによって脊柱の支持性と可動性を保つと共に、否みによって生じる痛み、鈍痛の緩和、解消、改善を図るものとして考えたのが最初の着眼点であります。
（カ）また、基本軸や基本面が必ずしも身体の中心軸を通るとは限らない場合もあります。たとえば右大腿部の矢状面を考えた時に内側には内側広筋、外側には外側広筋があります。下腿部の場合は前額面に対して前部には前脛骨筋、後部には後脛骨筋があり、脊柱の支持性または安定性を確保しています。また股関節においては内転と外転の可動域が大きく、スタンスの幅を変えることによって刺激の度合をより一層高めるものとしてスタンス目安Ａ（１６）、スタンス目安Ｂ（１７）を設置するものとしました。また伸展、側屈、回旋の運動をする時に前後、左右の拮抗筋の機能を高めるものとしても考案したものであります。
（ヨ）次に（２）と（３）を支えているフレーム４を設けた理由と利点について説明します。重心ベルト（１９）を装着し伸展、側屈、回旋の運動をする時にゴム金具の収縮力と張力を最大限に生かすためには、左右に支えになるものでしかも固くて撓りのあるものが必要であることが分かりました。そのため厚さが０．２ｃｍで太さが２ｃｍの空洞のステンレスのパイプを使用しています。また左右のフック（１２）（１３）をフレーム４の中心より外側に移動して設けたのは、耐久性と撓りを確保するために加工したものです。もしフレーム４を真っすぐなものにし、３か所にフックを設けて運動するとどうしても力点が１か所になりフレーム４が内側に沿ってしまいます。そこで力点を外側に移動し、立て長に力点を設け、四隅を加工し耐久性と撓りを失わないように考案したものであります。
（タ）また、靱帯はそれぞれの骨を結合することより支持性を高めています。腱組織は隣接の骨格に付着し可動性を高めています。筋肉も同じく脊柱の支持性を高め骨格筋を動かすことによってエネルギー代謝を活発にし脊柱の生理的な機能を維持することができます。また脊髄、脊髄神経及び末梢神経系についてですが、末梢神経は神経線維の束でできています。また神経線維は脂肪性の物質でできたミエリンと呼ばれる組織で何層にも包まれています。このミエリン鞘が多いと神経インパルスが神経線維を伝わる速度を速めてくれるというものです。そして神経がインパルスを伝える速さが神経の直径と回りを囲むミエリンの量によって異なるということが判明されています。つまりこの部分が本発明の課題でもあり着眼点にもなりました。
（レ）どうしてかと申しますと、神経線維はタンパク質であるアミノ酸で構成され、ミエリンという物質は血液中に存在するリポタンパクで構成されています。細胞である以上はエネルギー代謝が必要となり栄養素と酸素が必要となります。そのためには脊柱を支持している支持筋、骨格を支持している骨格筋を介して神経組織のエネルギー代謝を高める必要があります。骨格に沿って神経は走り、筋肉の隙間を通って神経は走り、体幹の表皮、上肢の指先、大腿の動き、下肢の足指までの動きをコントロールし、体幹、上肢、大腿、下肢の皮膚の感覚を脊髄を通して脳に送っています。その機能を維持するためには脊髄、脊髄神経及び末梢神経系に対して運動が必要であるというのが本発明の着眼点でもあります。そして本体の中心軸（１）に向かって立位し、左右の肘掛け台（５）（６）に肘を掛け、左右のにぎり棒（９）（１０）をにぎり、本体の土台（３）にあるスタンス目安ＡＢ（１６）（１７）のいずれかの位置に両足底を平行に置き、上肢、下肢の支持性を高めた状態で伸展、側屈、回旋の運動をすることによって脊髄、脊髄神経が定められた正規の位置で機能できるよう考案した脊柱の運動器具であります。
（ソ）また上記の（ハ）の運動をすることにより筋肉、靱帯、腱、椎間板にも刺激を与えることになり、肩関節、脊柱の関節、股関節、膝関節、足関節に至るまで３つの運動をすることにより、上記のすべての関節に刺激を与えるという発想は本発明の特徴でもあります。そして下肢の支持性を保ち上肢の支持性を高めるとことにより、垂直軸の重心部である仙骨の位置の臀部を伸展、側屈、回旋の運動をすることにより、本発明の課題でもある体幹、上肢、下肢の動きを快活なものにすると同時に、脊柱の椎骨の変形による脊髄及び脊髄神経の圧迫、また椎間板の退行変性による圧迫、そして黄色靱帯の骨化症によって生じる圧迫に伴う痛み、しびれ、鈍痛などの症状を緩和、解消すると共に脊柱全体の生理的機能を維持、促進するものとして考案した脊柱の運動器具であります。
【符号の説明】
【手続補正８】
【補正対象書類名】明細書
【補正対象項目名】００１２
【補正方法】変更
【補正の内容】
【００１２】１  本体の中心軸
２  肘掛けアーム
３  本体土台
４  （２）と（３）を支えるフレーム
５  右肘掛け台
６  左肘掛け台
７  右差し棒の穴２箇所
８  左差し棒の穴２箇所
９  右にぎり棒
１０  左にぎり棒
１１  正面フック３段階
１２  右フック３段階
１３  左フック３段階
１４  右タッチパット
１５  左タッチパット
１６  スタンス目安Ａ
１７  スタンス目安Ｂ
１８  キャスター
１９  重心ベルト本体
２０  正面ゴム金具
２１  右ゴム金具
２２  左ゴム金具
２３  左後ベルト
２４  右後ベルト
２５  前面マジックテープ
２６  後面マジックテープ
２７  肘台本体
２８  肘掛けスポンジ
２９  肘台差し棒
３０  肘台ＡＢＣ３対
【手続補正９】
【補正対象書類名】図面
【補正対象項目名】全図
【補正方法】変更
【補正の内容】
【図１】
2016087380.tif 000010
【図２】
2016087380.tif 000011
【図３】
2016087380.tif 000012
【図４】
2016087380.tif 000013
【図５】
2016087380.tif 000014
【図６】
2016087380.tif 000015
【図７】
2016087380.tif 000016